(57)【要約】【課題】エアバッグの大きさを調節できる充気式首固定器を提供する。【解決手段】一実施形態による充気式首固定器は、充気装置と、前方アセンブリと、後方アセンブリとを含み、前方アセンブリは、Ｕ字形を呈し、人体の前頸部から頸部の左右両側へ延出し、後方アセンブリは、人体の後頸部を支持し、前方アセンブリに対応して人体の頸部を挟持し、後方アセンブリは、エアバッグを含み、エアバッグは、人体の後頸部に当接し、エアバッグは、充気装置に接続され、充気装置は、エアバッグを充気してエアバッグの大きさを調節する。本考案によれば、使用者は、その必要に応じてエアバッグの大きさを調節することができ、異なる生理学的曲線がある頸椎に合わせて、頭部を後屈させて頸椎を自然な曲度を呈させる。エアバッグは、後頸部の裏側を支持点とし、後頭部を支持し上へ持ち上げて、椎間スペースを増やす効果を奏する。【選択図】図２
0003235598.tif 000002
【実用新案登録請求の範囲】
【請求項１】
充気式首固定器であって、
充気装置（３）と、前方アセンブリ（２）と、後方アセンブリ（１）とを含み、前方アセンブリ（２）は、Ｕ字形を呈し、人体の前頸部から頸部の左右両側へ延出し、後方アセンブリ（１）は、人体の後頸部を支持し、前方アセンブリ（２）に対応して人体の頸部を挟持し、後方アセンブリ（１）は、エアバッグ（１３）を含み、エアバッグ（１３）は、人体の後頸部に当接し、エアバッグ（１３）は、充気装置（３）に接続し、充気装置（３）は、エアバッグ（１３）を充気してエアバッグ（１３）の大きさを調節することを特徴とする充気式首固定器。
【請求項２】
前記充気装置（３）は、押えポンプ（３１）と空気通路（３２）を含み、押えポンプ（３１）は、吸気口（３１１）と排気口（３１２）を含み、空気通路（３２）は、排気口（３１２）とエアバッグ（１３）とを接続し、押えポンプ（３１）が動作するときに空気をエアバッグ（１３）に打ち込むことを特徴とする請求項１に記載の充気式首固定器。
【請求項３】
前記充気装置（３）は、空気通路（３２）の管路途中またエアバッグ（１３）に位置する排気弁（３３）を含むことを特徴とする請求項２に記載の充気式首固定器。
【請求項４】
前記排気弁（３３）は、押え式の排気ボタンであることを特徴とする請求項３に記載の充気式首固定器。
【請求項５】
前記充気装置（３）は、空気通路（３２）とエアバッグ（１３）との間に位置するクイックカプラー（３４）を含むことを特徴とする請求項２に記載の充気式首固定器。
【請求項６】
前記前方アセンブリ（２）と後方アセンブリ（１）との間は、取り外し可能に接続されることを特徴とする請求項５に記載の充気式首固定器。
【請求項７】
前記後方アセンブリ（１）は、支持部材（１１）と調節ノブ（１４）を含み、支持部材（１１）は、弧状板であり、エアバッグ（１３）の後方に位置し、支持部材（１１）には、縦方向に幾つかの昇降溝（１１１）が開設され、調節ノブ（１４）がエアバッグ（１３）に接続し、調節ノブ（１４）が昇降溝（１１１）に上下スライドし、エアバッグ（１３）を移動させて高さを調節することを特徴とする請求項２に記載の充気式首固定器。
【請求項８】
前記押えポンプ（３１）は、弾性がある柔軟なキャビティであり、吸気口（３１１）及び排気口（３１２）は、共に逆止弁が取り付けられることを特徴とする請求項２〜７のいずれか一項に記載の充気式首固定器。
【請求項９】
前記前方アセンブリ（２）は、下顎サポーター（２１）と調節手段（２２）を含み、調節手段（２２）は、下顎サポーター（２１）の高さを調節することを特徴とする請求項１〜７のいずれか一項に記載の充気式首固定器。
【請求項１０】
前記調節手段（２２）は、ラチェット（２２２）、調節バー（２２３）及び位置制限ピン（２９）を含み、位置制限ピン（２９）は、下顎サポーター（２１）に連動し、調節バー（２２３）には、ラチェット（２２２）に噛み合うラック（２２４）が設けられ、調節バー（２２３）の末端は、位置制限ピン（２９）に接続し、ラチェット（２２２）が回転して調節バー（２２３）を移動させ、位置制限ピン（２９）をスライドさせることを特徴とする請求項９に記載の充気式首固定器。
【考案の詳細な説明】
【技術分野】
【０００１】
本考案は、首固定器に関し、より具体的には充気式首固定器に関する。
【背景技術】
【０００２】
既存の頸椎固定器は、頸椎のバイオメカニクス構造を安定に保持するために、通常、頸椎固定器の内周にパッドが合わせて設置し、頸部に対して支持力及び牽引力を提供し、後頸部分について、通常、固定モデル製品から製造されるスポンジクッションを使用し、厚さ又は曲度を調節して異なる頸椎に合わせることができず、かつ牽引力を変化させることができず、牽引及び固定効果に影響し、着用するときに、使用の体験感が悪く、改良する必要があった。
【考案の概要】
【考案が解決しようとする課題】
【０００３】
既存技術の不足を克服するために、エアバッグの大きさを調節することが可能である充気式首固定器を提出する。
【課題を解決するための手段】
【０００４】
本考案は、以下の技術案により実現される。
充気式首固定器であって、充気装置と、前方アセンブリと、後方アセンブリとを含み、前方アセンブリは、Ｕ字形を呈し、人体の前頸部から頸部の左右両側へ延出し、後方アセンブリは、人体の後頸部を支持し、前方アセンブリに対応して人体の頸部を挟持し、後方アセンブリは、エアバッグを含み、エアバッグは、人体の後頸部に当接し、エアバッグは、充気装置に接続し、充気装置は、エアバッグを充気してエアバッグの大きさを調節する。
【０００５】
さらに、前記充気装置は、押えポンプと空気通路を含み、押えポンプは、吸気口と排気口を含み、空気通路は、排気口とエアバッグとを接続し、押えポンプが動作するときに空気をエアバッグに打ち込む
【０００６】
さらに、前記充気装置は、空気通路の管路途中またエアバッグに位置する排気弁を含む。
【０００７】
さらに、前記排気弁は、押え式の排気ボタンである。
【０００８】
さらに、前記充気装置は、空気通路とエアバッグとの間に位置するクイックカプラーを含む。
【０００９】
さらに、前記前方アセンブリと後方アセンブリとの間は、取り外し可能に接続され、クリップ構成または接続ベルトによる接着などの取り外し可能な方式を採用する。
【００１０】
さらに、前記後方アセンブリは、支持部材と調節ノブを含み、支持部材は、弧状板であり、エアバッグの後方に位置し、支持部材には、縦方向に幾つかの昇降溝が開設され、調節ノブがエアバッグに接続し、調節ノブが昇降溝に上下スライドし、エアバッグを移動させて高さを調節する。
【００１１】
さらに、前記押えポンプは、弾性がある柔軟なキャビティであり、吸気口及び排気口は、共に逆止弁が取り付けられる。
【００１２】
さらに、前記前方アセンブリは、下顎サポーターと調節手段を含み、調節手段は、下顎サポーターの高さを調節する。
【００１３】
さらに、前記調節手段は、ラチェット、調節バー及び位置制限ピンを含み、位置制限ピンは、下顎サポーターに連動し、調節バーには、ラチェットに噛み合うラックが設けられ、調節バーの末端は、位置制限ピンに接続し、ラチェットが回転して調節バーを移動させ、位置制限ピンをスライドさせる。
【００１４】
本考案が既存技術に対して、以下の有益な効果を有する。
１、後頸部位にあるエアバッグおよびその合わせた充気装置を設置し、使用者は、その必要に応じてエアバッグの大きさを調節することができ、異なる生理学的曲線がある頸椎に合わせて、頭部を後屈させて頸椎に自然な曲度を呈させる。エアバッグは、後頸部の裏側を支持点とし、後頭部を支持し上へ持ち上げて、椎間スペースを増やす効果を達する。
２、押えポンプ及び押しボタン式の排気弁を設置することにより、簡易で、小さくなり、必要に応じて快速に充気・排气することができる。
３、下顎サポーター及びその調節手段を設置し、下顎サポーターの高さ及び角度を調節し、各種の下顎形状及び異なる長さの首に合わせる。下顎サポーターが下顎に当接し、合わせて支持力を形成し、頸部に対してより良好な固定支持作用を提供する。
４、後頸部のエアバッグの高さは、調節でき、後頸部の支持点を調節し、快適度を向上する。
【図面の簡単な説明】
【００１５】
【図１】充気式首固定器の斜視図である。
【図２】充気式首固定器の内部構成の斜視図である。
【図３】充気式首固定器の後方アセンブリの可視される斜視図である。
【考案を実施するための形態】
【００１６】
以下、本考案の目的、技術案及びメリットをより明瞭にするために、図面及び実施例を組み合わせて、本考案をさらに詳しく説明する。ここで説明した具体的な実施例は、本考案を解釈するためのもののみであり、本考案を限定しないと理解すべきである。
【００１７】
図１〜図３に示すように、本考案の好ましい実施例は、充気式首固定器であって、後方アセンブリ１、前方アセンブリ２及び充気装置３を含む。前方アセンブリ２は、人体の首の前側に套設され、後方アセンブリ１は、人体の首の後側を支持し、前方アセンブリ２と後方アセンブリ１との間は、取外し可能に接続され、後方アセンブリ１の両端に接続ベルト１２が設けられ、接続ベルト１２を介して前方アセンブリ２の両端のスナップフィット領域２４２にスナップフィットし、面ファスナーや、クリップ、折り返しクリップなどの通常のスナップフィット方式を採用する。
【００１８】
図３に示すように、後方アセンブリ１は、支持部材１１と、接続ベルト１２と、エアバッグ１３と、調節ノブ１４とを含み、支持部材１１は、弧状部材であり、弧状部材には、竪直方向に２本のひょうたん状の昇降溝１１１が開設され、エアバッグ１３の裏側の対応位置に２つの調節ノブ１４が設けられる。調節ノブ１４は、昇降溝１１１にスライドし、かつひょうたん状の昇降溝１１１に必要である高さの位置に係合し、エアバッグ１３の高さの調節を実現する。
【００１９】
図１〜図３に示すように、前方アセンブリ２は、下顎サポーター２１、調節手段２２、前ケース２３、前接続部材２４、サポーター接続部材２５及び位置制限ピン２９を含む。前接続部材２４は、Ｕ型を呈し、かつ弧度を有し、その左右両端には、共にリフト案内溝２４１が開設され、リフト案内溝２４１が高さの変位差を有する案内溝である。前接続部材２４の両端は、サポーター接続部材２５の両端に接続され、サポーター接続部材２５の両端には、共に調節案内溝２５１が開設され、２つの末端が位置決めリベットを介して前接続部材２４に接続される。調節案内溝２５１は、水平の変位差を有し、かつ弧状を呈する。組み立て状態では、リフト案内溝２４１及び調節案内溝２５１は、交差して組合せ、かつ位置制限ピン２９を介してリフト案内溝２４１及び調節案内溝２５１という２つの案内溝を貫通する。位置制限ピン２９がスライドするとき、サポーター接続部材２５は、２つの末端の位置決めリベットを回転軸として上下移動することにより、下顎サポーター２１を移動させてその高さを調節する。位置制限ピン２９のスライドは、調節手段２２により調節される。調節手段２２は、つまみ２２１、ラチェット２２２、調節バー２２３を含む。調節バー２２３は、弧状の条片状であり、左右に２つ設けられ、前接続部材２４の前側に取り付けられ、調節バー２２３の後端が位置制限ピン２９に接続し、前端にラック２２４が設けられ、ラック２２４がラチェット２２２と噛み合い、ラチェット２２２がつまみ２２１に接続される。使用者がつまみ２２１を回転するとき、ラチェット２２２は回転し、調節バー２２３を前後移動させ、それにより位置制限ピン２９がスライドし、サポーター接続部材２５を上下移動させ、下顎サポーター２１の昇降機能を実現する。美観のために、前ケース２３が設けられることが好ましく、前ケース２３は前接続部材２４の前側を取り囲み、２つの調節バー２２３及び充気装置３をカバーし、調節バー２２３が柔軟な材料を選択する。
【００２０】
図２に示すように、充気装置３は、押えポンプ３１、空気通路３２、排気弁３３、クイックカプラー３４を含み、充気装置３は、前方アセンブリ２の内部に内蔵され、押えポンプ３１及び排気弁３３だけが露出される。
【００２１】
前記押えポンプ３１は、弾性がある柔軟なキャビティであり、押えやすいために、人体の前頸部・フォアブレストの位置に位置している。押えポンプ３１は、吸気口３１１と、排気口３１２を含み、空気通路３２は排気口３１２とエアバッグ１３を接続し、押えポンプ３１が動作するとき、空気をエアバッグ１３に打ち込む。吸気口３１１及び排気口３１２は、共に逆止弁が取り付けられ、２つの逆止弁の方向は反対であり、排気口３１２は空気通路３２に接続し、空気通路３２は排気弁３３に接続する。排気弁３３は、押え式であり、押し付けるときに排気し、押し付けない時にリセットされる。空気通路３２の末端にクイックカプラー３４が取り付けられ、素早く取り外すことができ、後方アセンブリ１を取り外しやすい。本考案によれば、使用者は、必要に応じてエアバッグ１３の大きさを自分に調節することができ、それを生理学的曲線がある頸椎に合わせ、頭部を後屈させて頸椎を自然な曲度を呈させ、エアバッグ１３は、後頸部の裏側を支持点として、後頭部を支持し上へ持ち上げて、椎間スペースを増やす効果を達する。
【００２２】
以上のように、本考案は、後頸部位にあるエアバッグおよびその合わせた充気装置を設置し、使用者は、その必要に応じてエアバッグの大きさを調節することができ、異なる生理学的曲線がある頸椎に合わせて、頭部を後屈させて頸椎を自然な曲度を呈させ、エアバッグは、後頸部の裏側を支持点とし、後頭部を支持し上へ持ち上げて、椎間スペースを増やす効果を達する。押えポンプ及び押しボタン式の排気弁を設置することにより、簡易で、小さくなり、必要に応じて快速に充気・排气することができる。下顎サポーター及びその調節手段を設置し、下顎サポーターの高さ及び角度を調節し、各種の下顎形状及び異なる長さの首に合わせる。下顎サポーターが下顎に当接し、対応して支持力を形成し、頸部に対してより良好な固定支持作用を提供する。後頸部のエアバッグの高さは調節でき、後頸部の支持点を調節し、快適度を向上する。
【００２３】
以上は本考案の好ましい実施例であり、本考案の特許請求の範囲を限定するものではない。本考案の明細書及び図面に基づいて得られた均等の構成置換、或いは、直接又は間接的に他の関連技術分野に適用されるものは、同様に本考案の特許請求の範囲に含まれる。
【符号の説明】
【００２４】
１−後方アセンブリ
１１−支持部材
１１１−昇降溝
１２−接続ベルト
１３−エアバッグ
１４−調節ノブ
２−前方アセンブリ
２１−下顎サポーター
２２−調節手段
２２１−つまみ
２２２−ラチェット
２２３−調節バー
２２４−ラック
２３−前ケース
２４−前接続部材
２４１−リフト案内溝
２４２−スナップフィット領域
２５−サポーター接続部材
２５１−調節案内溝
２９−位置制限ピン
３−充気装置
３１−押えポンプ
３１１−吸気口
３１２−排気口
３２−空気通路
３３−排気弁
３４−クイックカプラー。
【図１】
0003235598.tif 000003
【図２】
0003235598.tif 000004
【図３】
0003235598.tif 000005